(57)【要約】【課題】  取手を、上位置の高さに引き上げたとき、又は、下位置の高さに押し下げたとき、いずれの場合でも、取手の押しボタンを介して、走行の停止が迅速容易かつ確実にできるようにした４個の自在車輪を取りつけた４車輪付きのバッグを提供する。【解決手段】  バッグ１０と、バッグ１０、又は、バッグ１０を搭載できるようにしたフレーム４０に、走行可能に設けられた４個の自在車輪２０と、バッグ１０、又は、バッグ１０を搭載できるようにしたフレーム４０に設けられた伸縮可能の１対の取手筒３１１を有する取手装置３１を備え、取手３１２の押しボタン３１３を介して、各取手筒３１１の下端の接地面３１１２０を車輪２０の接地面９１より低く接地９０させることにより、走行停止ができるようにしたもの。【選択図】    図１−３
2008272362.tif 000002
【特許請求の範囲】
【請求項１】
バッグと、バッグ又はバッグを搭載できるようにしたフレームに走行可能に設けられた４個の車輪と、バッグ又はバッグを搭載できるようにしたフレームに設けられた伸縮可能の１対の取手筒を有する取手装置を備え、取手装置は、取手が上位置にきたとき、又は、取手が下位置にきたとき、いずれの場合においても、取手の押しボタンを介して、各取手筒の下端の接地面又は各取手筒の下端に取りつけられた棒体下端の接地面が、車輪の接地面より低くなるように接地することにより、走行を停止できるようにしたことを特徴とする４車輪付きのバッグ。
【請求項２】
前記取手装置の各取手筒が、案内筒と、案内筒に伸縮可能に内嵌する外筒と、外筒に伸縮可能に内嵌する内筒とを備えて、内筒下端に設けた突出自在のロックピンを、取手の押しボタンにより、案内筒と外筒と内筒に穿設した各伸縮用ロックピン孔に突出させることにより、各取手筒の伸縮を行うことができるようにすると共に、ロックピンを、各取手筒の伸縮時の内筒及び外筒の各伸縮用ロックピン孔に突出させたまま、案内筒の伸縮用ロックピン孔から脱出させて、その下位の案内筒の当接地用ロックピン孔に突出させて、外筒を押し下げて外筒下端の接地面又は外筒下端に取りつけた棒体の接地面が車輪の接地面より低くなるように接地できるようにしたことを特徴とする請求項１記載の４車輪付きのバッグ。
【発明の詳細な説明】
【技術分野】
【０００１】
本発明は、４個の自在車輪により走行できるようにした４車輪付きのバッグに関する。
【背景技術】
【０００２】
旋回自由な自在車輪４個を底部に設けた４車輪付きのバッグは、走行性がよいので、広く使用されているが、この種の車輪付バッグは、把手を介してバッグの走行を停止をさせることが困難であった。特許第３８５１２７８号公報（特開２００４−２２３０９３号公報）で、引き手杆２２上端の押しボタン３５で操作できるストッパ２８が考えられたが、（１）引き手杆２２は、その下端が車輪１２の下端と同程度の高さに突出するように押し下げた状態で、上下に移動しないようにロックされるので、引き手杆２２の下端は、地面が車輪１２下端と同一水平面でないと、ストッパとして作用しない。また、引き手杆２２下端は、車輪１２の接地面と同じ水平面にあっても、地面との接触面積が小さいので、ストッパ作用が弱い。（２）さらに重要なことは、引き手杆２２のグリップ２７を上位置に押し上げて走行する場合には、ストッパ作用は全くできないなどの欠点があった。
【特許文献１】特開２００４−２２３０９３号
【発明の開示】
【発明が解決しようとする課題】
【０００３】
本発明は、取手を、上位置の高さに引き上げたとき、又は、下位置の高さに押し下げたとき、いずれの場合でも、取手の押しボタンを介して、走行の停止ができるようにした４車輪付きのバッグを提供するものである。
また、本発明は、取手の押しボタンにより、取手筒の伸縮や走行の停止が迅速容易かつ確実にできるようにした４車輪付きのバッグを提供するものである。
【課題を解決するための手段】
【０００４】
本発明４車輪付きのバッグは、上記課題を達成するため、図示するように、請求項１の発明は、バッグ１０と、バッグ１０、又は、バッグ１０を搭載できるようにしたフレーム４０に、走行可能に設けられた４個の車輪２０と、バッグ１０、又は、バッグ１０を搭載できるようにしたフレーム４０に設けられた伸縮可能の１対の取手筒３１１を有する取手装置３１を備え、取手装置３１は、取手３１２が上位置にきたとき、又は、取手３１２が下位置にきたとき、いずれの場合においても、取手３１２の押しボタン３１３を介して、各取手筒３１１の下端の接地面３１１２０又は各取手筒３１１の下端に取りつけられた棒体（図示しない）の下端の接地面（図示しない）が、車輪２０の接地面９１より低くなるように接地９０することにより、バッグ１０の走行を停止できるようにしたものである。
また、本発明４車輪付きのバッグは、上記課題を達成するため、図２−１乃至図２−６に示すように、請求項２の発明は、請求項１の発明において、取手装置３１の各把手筒３１１が、案内筒３１７と、案内筒３１７に伸縮可能に内嵌する外筒３１１２と、外筒３１１２に伸縮可能に内嵌する内筒３１１１とを備えて、内筒３１１１下端に設けた突出自在のロックピン３１６７を、取手３１２の押しボタン３１３により、内筒３１１１の伸縮用ロックピン孔３１１１１を介して、案内筒３１７に穿設した複数個の伸縮用ロックピン孔３１７１等とこれに見合う外筒３１１２に穿設した複数個の伸縮用ロックピン孔３１１２１等に突出させることにより、各取手筒３１１の伸縮を行うことができるようにすると共に、ロックピン３１６７を、各取手筒３１１の伸縮時の内筒３１１１の伸縮用ロックピン孔３１１１１と外筒３１１２の各伸縮用ロックピン孔３１１２１等に突出させたまま、案内筒３１７の各伸縮用ロックピン孔３１７１等から脱出させて、その下位の案内筒３１７の各接地用ロックピン孔３１７１１等に突出させて、外筒３１１２を押し下げて外筒３１１２下端の接地面３１１２０又は外筒３１１２下端に取りつけた棒体（図示しない）の接地面（図示しない）を車輪２０の接地面９１より低くなるように接地９０できるようにしたものである。
本発明において、バッグには、カバン、トランク、旅行用バスケット等が含まれ、また、バッグはどんな形態のものでもよく、さらにバッグは、それ自体に車輪が走行できるように取りつけられる場合、車輪を設けたフレーム上に搭載できる場合が含まれる。
また、本発明において、取手装置は、１対の取手筒が段階的に伸縮する公知の装置はすべて使用できる。
【発明の効果】
【０００５】
本発明の４車輪付きのバッグは、把手を引き上げた状態でも、把手を押し下げた状態でも、走行中に把手筒下端の接地面又は取手筒下端に取りつけられた棒体下端の接地面が、車輪の接地面より低く接地してバッグの走行の停止ができるので、動揺する車中や上り又は下り勾配などにおける停止に都合がよい。
また、走行車輪の停止が取手の押しボタンにより簡単容易かつ迅速にできるので、老齢者に便利で、また、書籍、パソコン等の重量物運搬の場合も都合がよい。
【発明を実施するための最良の形態】
【０００６】
実施例１には、バッグ１０の側部に取手装置３１を設けた４車輪付きのバッグが示されている。
【実施例１】
【０００７】
本発明実施例の４車輪付きのバッグは、図１−１乃至図１−４に示すように、バッグ１０と車輪２０と取手装置３１とバッグ１０の内部に設けられた図２−１乃至図２−４に示すように、フレーム４０とを備えている。バッグ１０は、フレーム４０を底部に固着している。車輪２０は、フレーム４０の底部及びバッグ１０の底部を介して４個取りつけられ、いずれも自在車輪である。
取手装置３１は、フレーム４０の側部に立設されている。
取手装置３１は、図２−１乃至図２−５に示されるように、取手筒３１１と把手３１２と押しボタン３１３と１対の作動杆３１４と１対のロッド３１５と１対のロックピン３１６７付きのストッパ３１６とからなっている。
取手３１２は、中央部に押しボタン３１３を嵌入し、その下部両端に１対の作動杆３１４の各一端を回動可能に軸着している。
１対の作動杆３１４の各他端は、取手３１２の筒内において、上端に長孔３１５１を設け、１対の内筒３１１１に挿入された各ロッド３１５の上端に回動可能に挿入されている。
１対の取手筒３１１は、各内筒３１１１と各外筒３１１２とからなり、各内筒３１１１は、ロッド３１５を挿入すると共に、上下可動に各外筒３１１２に内嵌されている。
各内筒３１１１下端には、それぞれ後記ロックピン付ストッパ３１６が嵌入されて固着されている。
各ロッド３１５の下端は、各内筒３１１１に嵌入して上下可能の当板３１５２がそれぞれ取りつけられ、ロックピン３１６７付きのストッパ３１６に設けられた圧縮巻バネ付きの突出棒３１６１に当接できるように形成されている。
また、各内筒３１１１の上端は、把手３１２の両端にそれぞれ嵌入して固着され、各内筒３１１１の下端は、ストッパ３１６のロックピン３１６７を突出できる孔３１１１１をそれぞれ穿設している。
各外筒３１１２は、フレーム４０に立設された各案内筒３１７に上下可能に内嵌されると共に、フレーム４０の底部及びバッグ１０の底部の貫孔４００を介して、バッグ１０底部１０１の下方に突出できるように形成されている。
各案内筒３１７には、各内筒３１１１が把手３１２の押しボタン３１３を介して最上位置にきたとき、図２−１に示すように、ロックピン３１６７が、内筒３１１１の伸縮用ロックピン孔３１１１１、外筒３１１２の伸縮用ロックピン孔３１１２１及び案内筒３１７の伸縮用ロックピン孔３１７１に挿入され、各内筒３１１１が把手３１２の押しボタン３１３を介して最下位置にきたとき、図２−３に示すように、ロックピン３１６７が内筒３１１１の伸縮用ロックピン孔３１１１１、外筒３１１２の伸縮用ロックピン孔３１１２２及び案内筒３１７の伸縮用ロックピン孔３１７２に挿入され、内筒３１１１が把手３１２の押しボタン３１３を介して中間位置にきたとき、ロックピン３１６７が各内筒３１１１の伸縮用ロックピン孔３１１１１、各外筒３１１２の伸縮用ロックピン孔３１１２３及び案内筒３１７の伸縮用ロックピン孔３１７３にそれぞれ挿入され、各取手筒３１１の伸縮ができるようになっている。外筒３１１２及び案内筒３１７は、取手筒３１１の伸縮のため、さらに伸縮用ロックピン孔をそれぞれ穿設することができる。
図２−１に示すように、取手筒３１１の各内筒３１１１が最上位置にきたとき、内筒３１１１の伸縮用ロックピン孔３１１１１と外筒３１１２の伸縮用ロックピン孔３１１２１に突出したロックピン３１６７をそのままにして、ロックピン３１６７を、押しボタン３１３を押して、案内筒３１７の伸縮用ロックピン孔３１７１から脱出させて、図２−２に示すように、その下位の接地用ロックピン孔３１７１１に挿入するように、把手３１２を若干押し下げれば、ロックピン３１６７を介して、内筒３１１１と結合した外筒３１１２は、そのまま、押し下げられて、外筒３１１２の下端の接地面３１１２１を、図１−３、図１−４及び図２−２に示すように、車輪２０の接地面９１より低く接地９０してバッグ１０の走行を停止させることができる。同様に、図２−４に示すように、取手筒３１１の伸縮時の内筒３１１１の伸縮用ロックピン孔３１１１１と外筒３１１２の伸縮用ロックピン孔３１１２２に突出したロックピン３１６７をそのままにして、案内筒３１７の伸縮用ロックピン孔３１７２からその下位の接地用ロックピン孔３１７２１に挿入することにより、また、取手筒３１１の伸縮時の内筒３１１１の伸縮用ロックピン孔３１１１１と外筒３１１２の伸縮用ロックピン孔３１１２３に突出したロックピン３１６７をそのままにして、案内筒３１７の伸縮用ロックピン孔３１７３からその下位の接地用ロックピン孔３１７３１に挿入することにより、それぞれ把手筒３１１を若干押し下げて、外筒３１１２下端の接地面３１１２１を車輪２０の接地面９１より低く接地９０してバッグ１０の走行を停止することができる。
案内筒３１７は、取手筒３１１の伸縮に伴う走行停止のため、さらに接地用ロックピン孔をそれぞれ穿設することができる。
ロックピン３１６７付きのストッパ３１６及び摺動筒３１１０は、ストッパ３１６が、内筒３１１１の下端に嵌着され、図２−５に示されるように、内筒３１１１に内嵌した箱体３１６０と、箱体３１６０の上面板の孔３１６１に嵌入して圧縮巻バネ３１６２により上下動する突出棒３１６３と、これと一体化して底面に斜面３１６４を形成した滑り体３１６５と、滑り体３１６５と同じ勾配の斜面３１６６を形成すると共に、箱体３１６０の前面板の孔３１６８に嵌入して圧縮巻バネ３１６７１を介し前後動できるようにしたロックピン３１６７と一体化した移動体３１６９とを備えている。摺動筒３１１０は内筒３１１１に固着して外筒３１１２内を摺動し内筒３１１１が最上位置にきたときのストッパである。
【産業上の利用可能性】
【０００８】
本発明４車輪付きのバッグは、構造簡単で、量産でき、安価に製作できる。
【図面の簡単な説明】
【０００９】
【図１−１】本発明実施例を示す説明図である。
【図１−２】図１−１の別の説明図である。
【図１−３】図１−１の別の説明図である。
【図１−４】図１−３の別の説明図である。
【図２−１】図１−１の把手装置の一例を示す説明図である。
【図２−２】図２−１の把手装置の別の説明図である。
【図２−３】図２−１の把手装置の別の説明図である。
【図２−４】図２−３の把手装置の別の説明図である。
【図２−５】図２−１乃至図２−４のロックピン付ストッパの一例の説明図である。
【符号の説明】
【００１０】
１０                        バッグ
２０                        車輪
３１                        取手装置
３１１                      取手筒
３１１１                    内筒
３１１１１、３１１１２、３１１１３      内筒の伸縮用のロックピン孔
３１１２                    外筒
３１１２０                  外筒下端の接地面（把手筒の接地面）
３１１２１、３１１２２、３１１２３      外筒の伸縮用のロックピン孔
３１２                      取手
３１３                      押しボタン
３１６７                    ロックピン
３１７                      案内筒
３１７１、３１７２、３１７３            案内筒の伸縮用のロックピン孔
３１７１１、３１７２１、３１７３１      案内筒の接地用のロックピン孔
４０                        フレーム
４００                      フレーム底部及びバッグ底部の貫孔
【図１−１】
2008272362.tif 000003
【図１−２】
2008272362.tif 000004
【図１−３】
2008272362.tif 000005
【図１−４】
2008272362.tif 000006
【図２−１】
2008272362.tif 000007
【図２−２】
2008272362.tif 000008
【図２−３】
2008272362.tif 000009
【図２−４】
2008272362.tif 000010
【図２−５】
2008272362.tif 000011